(57)【要約】本発明は、視聴覚データ・ストリームをオーディオ・データ・ストリームとビデオ・データ・ストリームに分離し(220)、少なくともオーディオ・データを、視聴覚データ・ストリームのコンテンツが少なくとも１つの基準(215)に一致する(210)場合に、記憶させる(225)方法に関する。追加情報として、ビデオ情報の1つ又は少数のフレームも記憶させてユーザに、オーディオ・データの再生中に、ビデオ・データ・ストリームのコンテンツに関する追加情報を用意し得る。
2005538635.tif 000002
【特許請求の範囲】
【請求項１】
視聴覚データ・ストリームをメモリに記憶させる方法であって：
該視聴覚データ・ストリームのコンテンツを判定する工程；及び
該視聴覚データ・ストリームのコンテンツが少なくとも１つの所定の基準に一致するか否かを判定する工程；
を備え；
該視聴覚データ・ストリームのコンテンツが該所定の基準に一致する場合、更に：
該視聴覚データ・ストリームにおけるオーディオ・データとビデオ・データとを分離する工程；
該視聴覚データ・ストリームの該オーディオ・データのうちの少なくともかなりの部分を記憶させる工程；及び
ビデオ信号の多くて一部分を記憶させる工程；
を備えることを特徴とする方法。
【請求項２】
請求項１記載の方法であって、更に：
該視聴覚データ・ストリームの該ビデオ・データのうちの一部分を記憶させる工程；
を備え；
該記憶部分は該視聴覚データ・ストリームのビデオ成分全部よりもかなり小さいことを特徴とする方法。
【請求項３】
請求項2記載の方法であって、更に：
該視聴覚データ・ストリームの該ビデオ成分がフレームから構成され；
該ビデオ・データのうちの一部分を記憶させる工程が：
フレームを周期的に記憶させる工程；
を備えることを特徴とする方法。
【請求項４】
請求項2記載の方法であって、更に：
該視聴覚データ・ストリームの該ビデオ成分がフレームから構成され；
該ビデオ・データのうちの一部分を記憶させる工程が：
該視聴覚データ・ストリームの該フレームの最初のものを記憶させる工程；
を備えることを特徴とする方法。
【請求項５】
請求項2記載の方法であって、更に：
該視聴覚データ・ストリームの該ビデオ成分がフレームから構成され；
該ビデオ・データのうちの一部分を記憶させる工程が：
該視聴覚データ・ストリームの第１部分の特徴的な特性を判定するサブ工程；
該視聴覚データ・ストリームの第2部分の特徴的な特性を判定するサブ工程；
該第１部分の該特徴的な特性と、該第2部分の該特徴的な特性との差異を判定するサブ工程；及び
該差異が所定の最小値よりも大きい場合に、該視聴覚データ・ストリームの該第１部分のフレームを記憶させる工程；
を備えることを特徴とする方法。
【請求項６】
請求項5記載の方法であって、該特徴的な特性が該視聴覚データ・ストリームの音量であることを特徴とする方法。
【請求項７】
請求項1記載の方法であって、該視聴覚データ・ストリームがTV番組であり、該基準が該TV番組のジャンルであることを特徴とする方法。
【請求項８】
視聴覚データ・ストリームの少なくとも一部分をメモリに記憶させるよう形成される装置であって：
該視聴覚データ・ストリームのコンテンツを判定する工程；及び
該視聴覚データ・ストリームのコンテンツが少なくとも１つの所定の基準に一致するか否かを判定する工程；
を行うよう更に形成され；
該視聴覚データ・ストリームにおけるオーディオ・データとビデオ・データとを分離するよう更に形成され；
更に、メモリ；
を備え；
該メモリは：
該視聴覚データ・ストリームの該オーディオ・データのうちの少なくともかなりの部分を、該視聴覚データ・ストリームのコンテンツが該所定の基準に一致する場合に、記憶させることを特徴とする装置。
【請求項９】
請求項8記載の装置であって：
ディジタル・テレビジョンであり；
該メモリがワーキング・メモリであることを特徴とする装置。
【請求項１０】
記録担体であって：
プロセッサによって実行可能な命令；
を備え；
該命令は、該プロセッサが請求項１記載の方法を実行するよう動作可能にすることを特徴とする記録担体。
【発明の詳細な説明】
【技術分野】
【０００１】
本発明は、視聴覚データ・ストリームをメモリに記憶させる方法に関し、該方法は、視聴覚データ・ストリームのコンテンツを判定する工程と、視聴覚データ・ストリームのコンテンツが少なくとも１つの所定の基準と一致するか否かを判定する工程とを備える。
【０００２】
本発明は、視聴覚データ・ストリームの少なくとも一部分をメモリに記憶させるよう形成される装置にも関し、該装置は、視聴覚データ・ストリームのコンテンツを判定し、視聴覚データ・ストリームのコンテンツが少なくとも1つの所定の基準に一致するか否かを判定するよう更に形成される。
【０００３】
本発明は、プロセッサによって実行可能な命令を備える記録担体にも関する。
【背景技術】
【０００４】
上記方法と上記装置との実施例には公知のものがある（特許文献１参照。）。該文献は、テレビジョン番組の識別信号が記憶される装置を記載している。テレビジョン信号は該装置によって受信される。このテレビジョン信号は識別信号と比較される。テレビジョン信号の一部分が識別信号を備える場合、当該部分の視聴覚データは全て、該装置に記憶される。
【特許文献１】米国特許第６０８８４５５号明細書
【発明の開示】
【発明が解決しようとする課題】
【０００５】
本発明の目的は、メモリの使用効率を向上させることである。
【課題を解決するための手段】
【０００６】
上記目的は、本発明による当該方法によって達成され、該方法は、視聴覚データ・ストリームのコンテンツが所定の基準に一致する場合、該方法が、視聴覚データ・ストリームにおいてオーディオ・データとビデオ・データとを分離する工程と、視聴覚データ・ストリームのオーディオ・データの少なくともかなりの部分を記憶させる工程と、ビデオ信号の多くて一部分を記憶させる工程とを更に備える。
【０００７】
本発明は、かなり多くの場合、全てのデータを記憶させなくてもよいという認識に基づいている。例えば音楽放送局によって送出されるトーク番組や音楽などの一部の番組も、ビデオ情報なしで満足のいくように分かり得る。視聴覚データを全て記憶させる代わりに、音響情報のみを記憶させて当該番組を後の時点で分かるようにすることができるようにしてもよい。ビデオ・データは、オーディオ・データよりも占めるメモリ空間はかなり大きなものであるので、オーディオ・データのみが記憶される場合には多くのメモリ空間が獲得される。
【０００８】
本発明による当該方法の一実施例は、該方法が、視聴覚データ・ストリームのビデオ・データの一部分を記憶させる工程を更に備えることによって特徴付けられ、該記憶部分は視聴覚データ・ストリームのビデオ成分全部よりもかなり小さいものである。
【０００９】
本実施例の効果としては、特定量のビデオ・データも、オーディオ・データを再生する場合に表示し得ることがある。このようにしてユーザに、視聴覚データ・ストリームに関する追加情報を、記憶オーディオ情報を再生する場合に、供給することが可能である一方、
なお記憶されるデータは視聴覚データ・ストリーム全部が記憶されることになる場合よりも少ないものである。ビデオ・データは、情報をほとんど備えていないことがあるが、ユーザにこのような情報を供給することが特に有用であり得る。
【００１０】
本発明による当該方法の一実施例では、視聴覚データ・ストリームのビデオ成分がフレームから構成され、ビデオ・データの一部分を記憶させる工程が、フレームを周期的に記憶させる工程を備えることによって特徴付けられる。
【００１１】
上記実施例の効果としては、記憶オーディオ情報を再生する場合に、視聴覚情報のストリームのビデオ・データにおける展開の固定時点で、ユーザへ通知することが可能であることがある。トーク番組では、ビデオ・データは一般的に、情報をほとんど備えていないが、特定時点でユーザにイメージを供給することによって、このユーザは話し手の人物が誰であるかが分かる。これは非常に適切な情報であり得る。
【００１２】
本発明による当該方法の一実施例では、視聴覚データ・ストリームのビデオ成分がフレームから構成され、ビデオ・データの一部分を記憶させる工程が視聴覚データ・ストリームの第１フレームを記憶させる工程を備えることによって特徴付けられる。
【００１３】
上記実施例の効果としては、ストリームの第１フレームがタイトル・ページであり得ることがある。このタイトル・ページは、記憶オーディオ・データを再生する際の情報の目的で画面上に表示させ得る。
【００１４】
本発明の当該方法の一実施例では、視聴覚データ・ストリームのビデオ成分がフレームから構成され、ビデオ・データの一部分を記憶させる工程が、視聴覚データ・ストリームの第１部分の特徴的な特性を判定するサブ工程、視聴覚データ・ストリームの第２部分の特徴的な特性を判定するサブ工程、第１部分の特徴的な特性と第２部分の特徴的な特性との差異を判定するサブ工程、及び該差異が所定の最小値よりも大きい場合に、視聴覚データ・ストリームの第１部分のフレームを記憶させるサブ工程を備える。
【００１５】
上記方法の効果は、視聴覚情報のストリームが多くの情報を備える時点で記憶される。しかし、視聴覚情報のストリームが情報を、何ら備えるものでないか、ほとんど備えるものでない場合には、視聴覚データ・ストリームのオーディオ・データのみが記憶される。このようにして、最大量の適切な情報が記憶される一方、メモリは効率的に用いられる。
【００１６】
本発明による当該装置は、該装置が、視聴覚データ・ストリームにおいてオーディオ・データとビデオ・データとを分離するよう更に形成され、視聴覚データ・ストリームのオーディオ・データの少なくともかなりの部分を、視聴覚データ・ストリームのコンテンツが所定の基準に一致する場合に、記憶させるメモリを備えることによって特徴付けられる。
【００１７】
本発明による当該記録担体は、当該命令が、本特許請求の範囲記載の当該方法が当該プロセッサを実行するよう、動作可能にすることによって特徴付けられる。
【発明を実施するための最良の形態】
【００１８】
本発明のこれらの特徴と別の特徴とは、以下記載の当該実施例から明らかであり、該実施例を参照しながら明らかとなるものである。
【実施例】
【００１９】
図１は、視聴覚情報を表示し、記憶させるシステム100を表す。システム100は、表示画面140、スピーカ150、及び本発明による当該装置の実施例としての装置110を備える。装置110は、図示する実施例のRFアンテナ信号である、入力信号120を受信する。装置110は、信号130を介して装置110のユーザによって動作する。この信号は、IR信号であってもよいが、電気信号でもよく、このことは本発明には関連するものでない。RFアンテナ信号は、視聴覚情報ストリームを備える。視聴覚情報は、装置110に記憶し得るもの及び/又は表示画面140/スピーカ150上で表示/再生されるものである。視聴覚情報ストリーム（又はその一部分）が装置110に記憶されるか否かは、ユーザによって装置110に信号130を介して与えられるコマンドによってかわってくる。
【００２０】
本発明の一実施例では、装置110と、表示画面140と、上記スピーカとが別の装置160に集約される。
【００２１】
図２は、装置110の詳細図面を表す。装置110は、入力信号120を受信する受信手段205を備える。受信手段205は、RF信号からの入力信号120を低周波信号に変換し、この低周波信号は、装置110の別の構成部分によって更に処理し得る。受信手段205の出力は図示する実施例における視聴覚情報のディジタル・ストリームである。受信手段205の出力は識別手段210に結合され、識別手段210は視聴覚情報ストリームのコンテンツを少なくとも１つの参照基準と比較する。識別手段210は、参照基準を備えるデータベース215に結合される。該参照基準は、該データベースにユーザによって信号130を介して入力され、該信号130は装置110によって中央処理装置275を介して受信される。上記入力参照基準は、データベース215に中央処理装置275から入力される。
【００２２】
視聴覚情報ストリームのコンテンツは、当業者には既知の多くの方法で比較し得る。視聴覚情報ストリームのコンテンツを、MPEG-7標準又はTVAnytime(エニータイム)標準などのメタデータによって、記載することが考えられる。代替的には、データベース215はEPG情報を備え得るものであり、識別手段は、視聴覚情報の入力ストリームを、EPG情報を基に、識別し得る。この情報は、番組のジャンル（トーク番組、映画）と、別のコンテンツに関する情報（トーク番組の司会者、俳優、ゲスト、テーマ）とを備え得る。このような情報は、TV番組の場合、適切な情報である。
【００２３】
更に、視聴覚情報ストリームのコンテンツを、その視聴覚情報自体を基に判定することも考えられる。多くの番組は、リード部分とも呼ぶ導入部分を有し、この部分はどの放映回についても同一のものである。番組の導入部分に関するそのような情報をデータベース215に記憶させ、視聴覚情報の入力ストリームを導入部分と、識別手段210によって、比較することによって、番組のコンテンツを識別し得る。上記例は、単に例示的なものであり、番組のコンテンツを識別する方法には多くのものが存在することが当業者には明らかとなるものである。
【００２４】
本発明による当該装置の別の実施例では、識別手段210は、視聴覚情報の入力ストリームのコンテンツをまず分類し、視聴覚情報ストリームの分類をデータベース215における基準とその後に比較する分類手段を備える。
【００２５】
識別手段210は、分離手段220に結合される。識別手段210は分離手段220に、視聴覚情報ストリームを、接続211を介して送出し、制御信号を、接続212を介して送出する。本実施例では、制御信号は、視聴覚情報ストリームのコンテンツが所定の基準に一致するか否かを示す2進信号である。
【００２６】
視聴覚情報ストリームのコンテンツが所定の基準に一致する場合には、分離手段220は、正の信号を識別手段210から接続212を介して受信する。ユーザが装置110に視聴覚情報ストリーム又はその一部分をメモリ225に記憶させるよう命令した場合、視聴覚情報ストリームは、視聴覚情報ストリームのビデオ情報を備える第１情報ストリームと、視聴覚情報ストリームのオーディオ情報を備える第２情報ストリームに分離される。これは図3Aにおいて表す。
【００２７】
図３Aは、視聴覚情報ストリーム300、視聴覚情報ストリームのビデオ情報を備える第１情報ストリーム310と、視聴覚情報ストリームの第２情報ストリーム320を表す。
【００２８】
視聴覚情報ストリーム300を分離後、第２情報ストリーム320は、接続212の制御信号が正の場合には、メモリ225に本発明による当該方法の一実施例によって記憶される。第２情報ストリーム320は、それが記憶される前に圧縮し得る。
【００２９】
本発明の一実施例では、第１情報ストリーム310は、フレームから構成される。装置110のユーザが視聴覚情報ストリームを記憶することを要する旨の命令を出し、接続212の制御信号が正の場合、第１情報ストリーム310の第１フレーム315のみがメモリ225に本発明による当該方法の一実施例によって記憶される。図３Bは、視聴覚情報ストリーム300のどの部分、すなわち、第１フレーム315及び第２情報ストリーム320、がメモリ225に記憶されるかを表す。本発明の別の実施例によれば、第１情報ストリーム310のフレームが周期的に記憶される。
【００３０】
ユーザが装置110に、視聴覚情報ストリーム300の記憶情報の表示と再生とを表示画面140上及びスピーカ150上各々で行うよう命令した場合、第１フレーム315と第２情報ストリーム320とはメモリ225から表示手段230によって取り出される。該表示手段は、視聴覚情報を表示画面140(図1)上及びスピーカ150（図1）上各々で直接表示可能な信号に変換するよう形成される。表示手段230は、特に、D/Aコンバータを備える。
【００３１】
表示手段230は、第１フレーム315を繰り返し表示画面140(図1)に出力チャンネル251を介して表示するよう更に形成される。一方、表示手段230は、第２情報ストリーム320の当該情報を、スピーカ150によってオーディオ信号に変換し得る信号に変換する。
【００３２】
このようにして、当該記憶情報は、図３Cに表すように、視聴覚情報表示ストリーム340として表示される。視聴覚情報表示ストリーム340は、視覚情報ストリーム330と第２情報ストリーム320を備える。該視覚情報ストリームは、第１フレーム315を備え、該フレームの表示は、第２情報ストリーム320の当該情報の表示中に繰り返される。
【００３３】
図４は、本発明による当該方法の実施例を流れ図400によって表す。本実施例は、視聴覚情報をメモリに記憶させる装置において用い得る。本装置の考えられる実施例はパーソナル・コンピュータである。定義上は、このようなコンピュータは、パーソナル・コンピュータがワーキング・メモリを常に有するので、メモリを有するものである。多くのパーソナル・コンピュータは、ハード・ディスク・ドライブも搭載されており、該ディスク上には、視聴覚情報ストリームを記憶し得る。本装置の別の実施例は、DVB標準に合致する視聴覚データ・ストリームを表示するのに適した、ディジタル・テレビジョンなどの、メモリ付テレビジョンである。
【００３４】
しかし、これがアナログ・テレビジョンかディジタル・テレビジョンかということは本発明の範囲から逸脱するものでない。当該テレビジョンのメモリが、ハード・ディスク・ドライブと、フラッシュ、SRAM、DRAMなどのソリッド・ステート・メモリと、光ディスクとの何れであるかということも本発明の範囲から逸脱するものでない。なお、新世代のディジタル・テレビジョンは、相当量のソリッド・ステート・メモリをワーキング・メモリとして備えている。このようなワーキング・メモリは常に全部が使用されることになる訳ではなく、よって、本発明による当該方法の実行用のメモリとして用い得る。図示する当該方法の当該実施例は、当然、装置110（図２）においても用い得る。
【００３５】
流れ図400は、記録処理から処理工程410において開始される。記録処理の開始は、当該方法を実行する装置において予めプログラム化し得る。このプログラム化処理は、EPG（電子番組ガイド）又は別のシステムによって実行可能である。ユーザは代替的には、記録処理を手作業で開始し得る。
【００３６】
処理工程420では、記録対象の視聴覚情報ストリームのコンテンツは後に判定される。
【００３７】
その後、視聴覚情報ストリームのコンテンツが少なくとも所定の基準と処理工程430で比較される。図示する実施例では、この基準はユーザによって当該装置のメモリに記憶される。このメモリは前述のメモリであってよいが、代替的には、該基準を当該装置の別のメモリに記憶させることが考えられる。
【００３８】
視聴覚情報ストリームのコンテンツが所定の基準に一致するものでない場合には、視聴覚情報のストリーム全体が当該装置のメモリに処理工程440で記憶される。視聴覚情報のストリームは、ユーザによってか、視聴覚情報ストリームのコンテンツによって、判定されるか判定されない所定の期間によって制限され得る。このことは本発明の範囲から逸脱するものでない。視聴覚情報ストリームの記録が処理工程440で終了する場合、処理工程470が次に続き、該処理工程470においては記録処理が終了する。
【００３９】
しかし、処理工程430で、視聴覚情報ストリームのコンテンツが所定の基準に一致するようである場合には、視聴覚情報ストリームのビデオ情報の第１フレームが、処理工程450で、メモリに記憶される。その後、視聴覚情報ストリームのオーディオ情報は、処理工程460で、メモリに記憶される。
【００４０】
本発明による当該方法を図示する実施例では、処理工程450及び460は続いて行われる。別の実施例では、処理工程450及び460は並行して行われる。
【００４１】
視聴覚情報のストリームの記録が処理工程460で終了する場合、処理工程470が次に続き、この処理工程470では、記録処理が終了する。
【００４２】
記録処理が終了することを要する時点の判定処理は本発明の範囲外のものである。更に、当業者は、PDC（番組デリバリ・コントロール）又はEPGを用いるなどの、これを判定する多くの方法に精通することになるものである。更に、当該装置のメモリに記録する対象の視聴覚情報ストリームの期間を所定の基準によって記憶させることも考えられる。
【００４３】
前述の本発明の当該実施例では、視聴覚情報ストリームのビデオ情報の第１フレームが、視聴覚情報ストリームのオーディオ情報に加えて、メモリに記憶する対象の視聴覚情報ストリームのコンテンツが少なくとも1つの所定の基準に一致する都度、メモリに記憶される。本発明の別の実施例では、図４の流れ図400の処理工程450はスキップされ、視聴覚情報ストリームのビデオ情報は何ら記憶されない。記憶オーディオ・データの再生中には、ビデオ・データは何ら表示されない。その代わりに、ユーザは、例えば、情報をテレテキスト又は別の双方向データ・サービスを介して取り出し得る。
【００４４】
本発明による当該方法の更に別の実施例では、視聴覚情報ストリームのイメージが記録処理中に周期的に記憶される。このことは図５に表す。
【００４５】
図５は、本発明による当該方法の別の実施例を流れ図500によって表すものである。
【００４６】
流れ図500は、処理工程510で、記録処理から開始される。処理工程520では、記録対象の視聴覚情報ストリームのコンテンツは後に判定される。
【００４７】
その後、視聴覚情報ストリームのコンテンツは、処理工程530で、少なくとも１つの所定の基準と比較される。図示する実施例では、この基準はユーザによって当該装置のメモリに記憶される。
【００４８】
視聴覚情報のストリームのコンテンツが所定の基準に一致しない場合には、視聴覚情報のストリーム全部が、処理工程540で、当該装置のメモリに全体として記憶される。視聴覚情報ストリームは、ユーザによって、又は視聴覚情報のストリームのコンテンツによって、判定されるか判定されない所定の期間によって制限され得る。このことは、本発明の範囲から逸脱するものでない。視聴覚情報ストリームの記録は処理工程540で終了された場合には、処理工程570が次に続き、この処理工程570では記録処理が終了する。
【００４９】
しかし、視聴覚情報ストリームのコンテンツが処理工程530で所定基準に一致するようである場合には、視聴覚情報ストリームのビデオ情報のフレームが処理工程550でメモリに周期的に記憶される。フレーム記憶間の周期はユーザによって調節可能である。処理工程550に並行して、視聴覚情報ストリームのオーディオ情報は、処理工程560で、メモリに記憶される。視聴覚情報ストリームの記録が処理工程550及び560で終了した場合には、処理工程570が次に続き、該処理工程570では記録処理が終了する。
【００５０】
本発明の別の実施例では、フレームが、視聴覚情報ストリームにおいて急な変動がある場合に、記憶される。このことは、音量が急に、例えばハイからローに、変動する場合に行われることがある。更に、視覚情報における変動、例えば情景の変動は、フレームを記憶させることを引き起こし得る。情景の変動は、例えば、連続するフレームをお互いに比較することによって検出し得る。２つのフレームの間の差異が所定の最小値よりも大きい場合には、第２フレームが記憶される。
【００５１】
上記の通り、本発明による当該方法はパーソナル・コンピュータ上でも実行し得る。図6は、本発明による当該記録担体の一実施例としてのディスケット610を表し、このディスケットは、プロセッサによって実行可能なものであり、そのプロセッサが本発明による当該方法を実行することを動作可能にする命令を備える。本発明による当該記録担体の別の実施例は、インターネットなどの広域ネットワークに結合される、光ディスク、フラッシュ・メモリ又はハード・ディスクである。これは、本発明の範囲から逸脱するものでない。
【００５２】
ディスケット610はコンピュータ620において用い得る。コンピュータ620は、ディスケット610上の命令をプロセッサによって読み取るディスク・ドライブ621を備える。更に、コンピュータ620は、ディスク・ドライブ621によって読み取られる命令を実行するプロセッサ622を備え、その命令によって、該プロセッサが本発明による当該方法を信号処理回路623によって実行するよう動作可能となる。
【００５３】
信号処理回路623は、当然既知のTVチューナ挿入カードを備える。TVチューナ挿入カードは、入力チャンネル625を介して着信するRFテレビジョン信号を視聴覚情報のディジタル・ストリームに、例えば、MPEG-2標準によって、変換する。視聴覚情報のディジタル・ストリームは更に、信号処理回路623によって、本発明による当該方法で処理され、メモリ624における記憶が、本発明による当該方法によって該記憶を行うことが判定される場合には、行われる。
【００５４】
要約すれば、本発明は、視聴覚データ・ストリームをオーディオ・データ・ストリームとビデオ・データ・ストリームとに分離し、少なくともオーディオ・データを、視聴覚データ・ストリームのコンテンツが少なくとも１つの基準に一致する場合に、記憶させる方法に関する。この理由は、例えば、特定のテレビジョン番組は、オーディオ・データのみ記憶されていることが大いにあり得る。好適な例はトーク番組であるが、音楽番組にも該当し得る。情報を追加するために、ビデオ情報の1つ又は少数のフレームも記憶させてユーザに、オーディオ・データの再生中に、例えば、トーク番組におけるゲストの顔に関する追加情報を用意し得る。
【図面の簡単な説明】
【００５５】
【図１】本発明による当該装置の一実施例のアプリケーションを表す図である。
【図２】本発明による該装置の一実施例を表す図である。
【図３Ａ】本発明による該装置によって受信される情報のストリームを表す図である。
【図３Ｂ】本発明による当該方法の一実施例によって記憶される情報を表す図である。
【図３Ｃ】本発明による該方法の一実施例によって記憶される、情報が表示される方法を示す情報のストリームを表す図である。
【図４】本発明による該方法の一実施例を示す流れ図である。
【図５】本発明による該方法の別の実施例を示す別の流れ図である。
【図６】本発明による当該記録担体の一実施例を表す図である。
【図１】
2005538635.tif 000003
【図２】
2005538635.tif 000004
2005538635.tif 000005
【図４】
2005538635.tif 000006
【図５】
2005538635.tif 000007
【図６】
2005538635.tif 000008
【国際調査報告】
2005538635.tif 000009
2005538635.tif 000010